(57)【要約】【課題】不要電磁波の発生を効果的に抑制することができる電源スイッチ回路を提供すること。【解決手段】本発明に係る電源スイッチ回路は、パルス幅変調信号制御回路と、第一抵抗と、第二抵抗と、第一スイッチ回路と、第二スイッチ回路と、第一フィルタ回路と、及び第二フィルタ回路と、を備える。前記第一フィルタ回路は、第三抵抗及び第一コンデンサーを含み、前記第一コンデンサーの第一端は、前記第一スイッチ回路に接続され、前記第一コンデンサーの第二端は、前記第三抵抗を介して接地され、前記第二フィルタ回路は、第四抵抗及び第二コンデンサーを含み、前記第二コンデンサーの第一端は、前記第二スイッチ回路に接続され、前記第二コンデンサーの第二端は、前記第四抵抗を介して接地される。【選択図】図１
2013198399.tif 000002
【特許請求の範囲】
【請求項１】
パルス幅変調信号制御回路と、第一抵抗と、第二抵抗と、第一スイッチ回路と、第二スイッチ回路と、第一フィルタ回路と、第二フィルタ回路と、を備える電源スイッチ回路であって、
前記パルス幅変調信号制御回路は、予定の動作周波数を提供するための第一周波数制御端及び第二周波数制御端を備え、
前記第一抵抗の第一端は、前記第一周波数制御端に接続され、
前記第一抵抗の第二端は、前記第一スイッチ回路に接続され、
前記第二抵抗の第一端は、前記第二周波数制御端に接続され、
前記第二抵抗の第二端は、前記第二スイッチ回路に接続され、
前記第一フィルタ回路は、第三抵抗及び第一コンデンサーを含み、
前記第一コンデンサーの第一端は、前記第一スイッチ回路に接続され、
前記第一コンデンサーの第二端は、前記第三抵抗を介して接地され、
前記第二フィルタ回路は、第四抵抗及び第二コンデンサーを含み、
前記第二コンデンサーの第一端は、前記第二スイッチ回路に接続され、
前記第二コンデンサーの第二端は、前記第四抵抗を介して接地されることを特徴とする電源スイッチ回路。
【請求項２】
前記第一スイッチ回路は第一電界効果トランジスタを備え、
第二スイッチ回路は第二電界効果トランジスタを備え、
前記第一抵抗の前記第二端は前記第一電界効果トランジスタのゲートに接続され、
前記第二抵抗の前記第二端は前記第二電界効果トランジスタのゲートに接続されることを特徴とする請求項１に記載の電源スイッチ回路。
【請求項３】
前記第一コンデンサーの前記第一端は前記第一電界効果トランジスタのソースに接続され、
前記第二コンデンサーの前記第一端は前記第二電界効果トランジスタのソースに接続されることを特徴とする請求項２に記載の電源スイッチ回路。
【発明の詳細な説明】
【技術分野】
【０００１】
本発明は、電源スイッチ回路に関し、特に不要電磁波の発生を低減することができる電源スイッチ回路に関するものである。
【背景技術】
【０００２】
現在、各種電子製品の広範囲にわたる使用によって、空間電磁場の環境はさらに複雑化している。また、この空間電磁波放射は、電子製品の性能に大きな影響を与えるため、電子製品の電磁波に対する妨害抵抗能力を高めることが現在の課題である。
【０００３】
他方、電子製品の電源スイッチ回路において、通常パワースイッチ半導体には、導通した時に比較的大きなパルス電流が流れており、その入力電流波形は、抵抗性負荷の時に矩形波に近似する。しかし、この入力電流波形の中には、多量の高調波成分が含まれているので、回路内で不要電磁波が発生し、他の電子装置の正常な動作に影響を与える。
【発明の概要】
【発明が解決しようとする課題】
【０００４】
以上の問題点に鑑みて、本発明は、不要電磁波の発生を効果的に抑制することができる電源スイッチ回路を提供することを目的とする。
【課題を解決するための手段】
【０００５】
上記の目的を達成するために、本発明に係る電源スイッチ回路は、パルス幅変調信号制御回路と、第一抵抗と、第二抵抗と、第一スイッチ回路と、第二スイッチ回路と、第一フィルタ回路と、第二フィルタ回路と、を備える。前記パルス幅変調信号制御回路は、予定の動作周波数を提供するための第一周波数制御端及び第二周波数制御端を備え、前記第一抵抗の第一端は、前記第一周波数制御端に接続され、前記第一抵抗の第二端は、前記第一スイッチ回路に接続され、前記第二抵抗の第一端は、前記第二周波数制御端に接続され、前記第二抵抗の第二端は、前記第二スイッチ回路に接続され、前記第一フィルタ回路は、第三抵抗及び第一コンデンサーを含み、前記第一コンデンサーの第一端は、前記第一スイッチ回路に接続され、前記第一コンデンサーの第二端は、前記第三抵抗を介して接地され、前記第二フィルタ回路は、第四抵抗及び第二コンデンサーを含み、前記第二コンデンサーの第一端は、前記第二スイッチ回路に接続され、前記第二コンデンサーの第二端は、前記第四抵抗を介して接地される。
【発明の効果】
【０００６】
従来の技術とは異なり、本発明に係る電源スイッチ回路は、パルス幅変調信号制御回路（即ちＰＷＭ制御チップ）の周辺回路において、ＲＣフィルタ回路を増設するため、電源スイッチ回路の不要電磁波の発生を低減することができる。また、前記ＲＣフィルタ回路のコストは、専用のチップの価格より遥かに低い。従って、本発明の電源スイッチ回路は、コストを増加させない前提下で、不要電磁波の発生を効果的に抑制することができる。
【図面の簡単な説明】
【０００７】
【図１】本発明の実施形態に係る電源スイッチ回路の回路図である。
【発明を実施するための形態】
【０００８】
図１に示すように、本発明の実施形態に係る電源スイッチ回路１０は、パルス幅変調信号制御回路１１、第一抵抗Ｒ１、第二抵抗Ｒ２、第一スイッチ回路１２及び第二スイッチ回路１３を備える。パルス幅変調信号制御回路１１は、予定の動作周波数を提供するための第一周波数制御端ＤＲ１及び第二周波数制御端ＤＲ２を備える。第一抵抗Ｒ１の第一端は、第一周波数制御端ＤＲ１に接続され、第一抵抗Ｒ１の第二端は、第一スイッチ回路１２に接続される。第二抵抗Ｒ２の第一端は、第二周波数制御端ＤＲ２に接続され、第二抵抗Ｒ２の第二端は、第二スイッチ回路１３に接続される。本実施形態において、第一スイッチ回路１２及び第二スイッチ回路１３は、Ｐ型の電界効果トランジスタＱ１、Ｑ２をそれぞれ含む。第一抵抗Ｒ１の第二端は、前記電界効果トランジスタＱ１のゲートゲートに接続され、第二抵抗Ｒ２の第二端は、前記電界効果トランジスタＱ２のゲートに接続される。前記電界効果トランジスタＱ１のドレインと前記電界効果トランジスタＱ２のドレインとは、同時に電源入力端ＤＣ−ＩＮピンに接続されている。
【０００９】
また、電源スイッチ回路１０は、第一フィルタ回路１４及び第二フィルタ回路１５をさらに備える。第一フィルタ回路１４は、第一スイッチ回路１２と電源スイッチ回路１０の第一出力端１６との間に接続される。第二フィルタ回路１５は、第二スイッチ回路１３と電源スイッチ回路１０の第二出力端１７との間に接続される。本実施形態において、第一フィルタ回路１４は、抵抗Ｒ３及びコンデンサーＣ１を備える。この抵抗Ｒ３及びコンデンサーＣ１は、ＲＣフィルタ回路を構成し、その中で、コンデンサーＣ１の第一端は、前記電界効果トランジスタＱ１のソースに接続され、コンデンサーＣ１の第二端は、抵抗Ｒ３を介して接地される。第二フィルタ回路１５は、抵抗Ｒ４及びコンデンサーＣ２を備える。この抵抗Ｒ４及びコンデンサーＣ２も、ＲＣフィルタ回路を構成し、その中で、コンデンサーＣ２の第一端は、前記電界効果トランジスタＱ２のソースに接続され、コンデンサーＣ２の第二端は、抵抗Ｒ４を介して接地される。
【００１０】
本実施形態において、パルス幅変調信号制御回路１１は、一般のＰＷＭ制御チップである。また、該パルス幅変調信号制御回路１１の第一フィードバックピンＦＢ１は、抵抗Ｒ５を介して接地され、第二フィードバックピンＦＢ２は、抵抗Ｒ６を介して接地され、第一周波数制御端ＤＲ１は、抵抗Ｒ１を介して前記電界効果トランジスタＱ１のゲートに接続され、第二周波数制御端ＤＲ２は、抵抗Ｒ２を介して前記電界効果トランジスタＱ２のゲートに接続される。
【００１１】
パルス幅変調信号制御回路１１が、第一周波数制御端ＤＲ１及び第二周波数制御端ＤＲ２を介して高調波をそれぞれ出力すると、該高調波は、第一フィルタ回路１４のコンデンサーＣ１及び第二フィルタ回路１５のコンデンサーＣ２により濾波された後、対応する抵抗Ｒ３及びＲ４を介して緩衝接地され、前記高調波の変動幅を抑制する。これにより、不要電磁波の発生を効果的に抑制することができる。
【００１２】
また、本発明の電源スイッチ回路１０は、他の部品をさらに備えるが、これらの部品は本発明点と関連しないので、ここでの詳しい説明は省略する。
【００１３】
上記の実施形態によると、本発明が提供する電源スイッチ回路１０は、出力端とスイッチ回路との間にＲＣフィルタ回路を増設することにより、不要電磁波の発生を効果的に抑制する。
【００１４】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、言うまでもない。
【符号の説明】
【００１５】
１０          電源スイッチ回路
１１          パルス幅変調信号制御回路
１２          第一スイッチ回路
１３          第二スイッチ回路
１４          第一フィルタ回路
１５          第二フィルタ回路
１６          第一出力端
１７          第二出力端
【図１】
2013198399.tif 000003